(57)【要約】【課題】      使用者が予定等を書き込むことができるスケジュールカレンダーにおいて、スポーツの過去の結果を一覧することができるようする。【解決手段】  １０はカレンダーが記載されたカレンダー本体部、２０は欄外部である。カレンダー本体部１０は、３７２（１２×３１）に区画された空白部１３が存在し、この空白部は月１１と日１２とにより日付が特定されている。空白部１３に今年行われる甲子園における高校野球の試合の予定が記載されている。また、空白部１３には、甲子園出場を果たした特定の高等学校の地方予選における結果が記載されている。欄外部２０には、高校野球の部長、監督、コーチ、選手、マネージャーの写真２１が印刷されており、各写真の下部には、氏名、学年等の個人情報２２が記載されるとともに、選手の場合は過去の成績（打率、本塁打、打点、防御率等）２３が記載されている。【選択図】        図１
2008105269.tif 000002
【特許請求の範囲】
【請求項１】
月、曜日、日が表示されるとともに、該月及び日で特定される日付に対応する箇所が使用者が記入可能なように空白部を有して区画されているスケジュールカレンダーであって、該空白部に過去のスポーツの結果が記載されていることを特徴とするスケジュールカレンダー。
【請求項２】
前記空白部に今後行われるスポーツの予定が記載されていることを特徴とする請求項１記載のスケジュールカレンダー。
【請求項３】
前記スケジュールカレンダーの欄外部に、空白部に記載されたスポーツの競技者の写真又はイラストが表示されていることを特徴とする請求項１又は２記載のスケジュールカレンダー。
【請求項４】
前記スケジュールカレンダーの欄外部に、空白部に記載されたスポーツの競技者の過去の成績が記載されていることを特徴とする請求項１、２又は３記載のスケジュールカレンダー。
【請求項５】
前記スケジュールカレンダーの欄外部に、空白部に記載されたスポーツの競技者の個人情報が記載されていることを特徴とする請求項１、２、３又は４記載のスケジュールカレンダー。
【発明の詳細な説明】
【技術分野】
【０００１】
本発明は、日付に対応した空白部に使用者のスケジュール等を記入できるスケジュールカレンダーに関し、さらに詳しくは、野球、相撲等のスポーツの過去の結果を一覧することができるスケジュールカレンダーに関するものである。
【背景技術】
【０００２】
スケジュールカレンダーは、各日付の欄に空白部が設けられ、この空白部に使用者の予定等を記載できるようになっており、また、同時に祝祭日にはその内容が表示されている。さらに、使用者の興味を引く事項に関する情報が記載されている場合があり、例えば、暦や、野球の試合の予定等が記載されている場合があった（特許文献１参照）。
【０００３】
【特許文献１】特開２０００−３２６６５７号公報
【発明の開示】
【発明が解決しようとする課題】
【０００４】
従来のスケジュールカレンダーは、野球等のスポーツの予定が記載されている場合、例えば、阪神タイガースの試合の予定が記載されている場合、今年の予定を一覧することができるので、観戦するのを忘れることがなく、また観戦の予定等を立てられて便利であった。
【０００５】
ところで、野球の観戦をする場合、現在の結果と比べて去年の成績を知りたいものであり、去年の現時点の成績と今年の現在の成績とを比較するなどして、今後の展望等を予想することも野球観戦の楽しみの一つであった。
【０００６】
しかしながら、従来のスケジュールカレンダーにおいては、今年の試合の予定は一覧することはでき、またその結果も空白部に記入することにより知ることはできるが、去年の試合結果を知ることはできないものであった。したがって、去年の結果を知るためには、去年の試合結果が記載されているデータブック等を別途用意しなければならず面倒なものであった。
【０００７】
本発明は、以上の問題点を解決し、スポーツの過去の結果を一覧することができるようにしたスケジュールカレンダーを提供することを目的とする。
【課題を解決するための手段】
【０００８】
請求項１に係るスケジュールカレンダーは、月、曜日、日が表示されるとともに、該月及び日で特定される日付に対応する箇所が使用者が記入可能なように空白部を有して区画されているスケジュールカレンダーであって、該空白部に過去のスポーツの結果が記載されていることを特徴として構成されている。
【０００９】
請求項２に係るスケジュールカレンダーは、請求項１記載のスケジュールカレンダーにおいて、空白部に今後行われるスポーツの予定が記載されていることを特徴として構成されている。
【００１０】
請求項３に係るスケジュールカレンダーは、請求項１又は２記載のスケジュールカレンダーにおいて、スケジュールカレンダーの欄外部に、空白部に記載されたスポーツの競技者の写真又はイラストが表示されていることを特徴として構成されている。
【００１１】
請求項４に係るスケジュールカレンダーは、請求項１、２又は３記載のスケジュールカレンダーにおいて、スケジュールカレンダーの欄外部に、空白部に記載されたスポーツの競技者の過去の成績が記載されていることを特徴として構成されている。
【００１２】
請求項５に係るスケジュールカレンダーは、請求項１、２、３又は４記載のスケジュールカレンダーにおいて、スケジュールカレンダーの欄外部に、空白部に記載されたスポーツの競技者の個人情報が記載されていることを特徴として構成されている。
【発明の効果】
【００１３】
請求項１に係るスケジュールカレンダーにおいては、過去のスポーツの結果が記載されているので、別途データブック等を用意することなく過去の結果を一覧することができる。したがって、過去の結果を参考にすることができるので、今後行われるスポーツの予測等、観戦の楽しみが増加するものである。
【００１４】
請求項２に係るスケジュールカレンダーにおいては、今後行われるスポーツの予定が記載されているので、スポーツの予定を一覧することができる。
【００１５】
請求項３に係るスケジュールカレンダーにおいては、スケジュールカレンダーの欄外部に空白部に記載されたスポーツの競技者の写真又はイラストが表示されているので、競技者の顔を認識することができる。したがって、当該スポーツに詳しくない者であっても、競技者名と顔とが一致し、観戦の一助となるものである。
【００１６】
請求項４に係るスケジュールカレンダーは、スケジュールカレンダーの欄外部に空白部に記載されたスポーツの競技者の過去の成績が記載されているので、競技者の過去の成績を知りたくなった場合、別途データブック等を用意しなくとも、競技者の成績を知ることができるものである。
【００１７】
請求項５に係るスケジュールカレンダーは、スケジュールカレンダーの欄外部に空白部に記載されたスポーツの競技者の個人情報が記載されているので、競技者の出身校等の個人情報を知りたくなった場合、別途データブック等を用意しなくとも、競技者の個人情報を知ることができるものである。
【発明を実施するための最良の形態】
【００１８】
本発明のスケジュールカレンダーにおいては、過去のスポーツの結果が記載されているが、このスポーツとしては特に限定されるものでなく、野球、サッカー、相撲、ゴルフ、競馬、バレーボール、ラグビー、バスケットボール等の各種球技、団体競技、個人競技が含まれ、スポーツの結果としては、特定のチーム、特定の団体又は特定の個人の対戦相手、試合結果（勝負、点差、着順等）、試合会場等の各種情報が含まれる。
【００１９】
また、過去のスポーツにおける過去とは、スケジュールカレンダーに表示される最初の日付を基準とし、１月１日から始まるカレンダーであれば、前年の１２月３１日以前が過去となり、年の途中、例えば８月１日から始まるカレンダーであれば（カレンダーの最終の日付は次年の７月３１日となる）、同じ年の７月３１日以前が過去となるものである。例えば、夏の甲子園大会に関するスケジュールカレンダーを８月に発行しようとすると、８月に始まる甲子園大会の予定を記載するとともに、７月中に終了している地区大会の結果を過去の結果として記載することができる。
【００２０】
空白部に記載される今後行われるスポーツの予定としては、前記過去のスポーツの結果の場合と同一の特定のチーム、特定の団体又は特定の個人の対戦相手、試合会場、第１回戦や決勝戦等の試合の段階等の各種情報が含まれる。また、今後とは、上述した過去と同様に、スケジュールカレンダーの表示される最初の日付を基準とする。
【００２１】
本発明のスケジュールカレンダーは、その欄外部に、スポーツに関連のある各種情報を記載することが好ましい。例えば、競技者（選手の他、監督、コーチ等も含む。また、競馬等の動物が競技を行う場合は、競走馬等の動物も含む。以下、同様）の写真又はイラストを表示したり、競技者の過去の成績（野球の場合は打率、本塁打、打点、勝敗、防御率等、相撲の場合は勝敗、優勝回数等）を記載したり、競技者の個人情報（出身地、出身高校、身長、体重等）を記載することができる。このように欄外部に競技者の写真又はイラスト、競技者の過去の成績、競技者の個人情報を記載すると、スケジュールカレンダーを見るだけで、簡単に知りたい情報を得ることができ、また、競技者への興味を惹きつけるものである。
【００２２】
本発明のスケジュールカレンダーの第１実施形態を図１を参照して説明する。図１は、夏の甲子園大会の予定と、地方大会の結果とを記載したスケジュールカレンダーの一部省略した正面図である。
【００２３】
図１において、１０はカレンダーが記載されたカレンダー本体部、２０は欄外部である。カレンダー本体部１０は、横方向に１２に区分され、その上端部に１月から１２月までを表示する月１１が記載されており、また、縦方向に３１に区分され、その左端部に１日から３１日までを表示する日１２が記載されている。したがって、カレンダー本体部１０には、３７２（１２×３１）に区画された空白部１３が存在し、この空白部は月１１と日１２とにより日付が特定されており、また、その空白部１３には該当する日曜日から土曜日までを表示する曜日１４が記載されている。なお、このスケジュールカレンダーは、８月に発行するもので、８月１日が最初の日付（最も古い日付）となっており、１月1日から７月３１日までは来年度に対応している。
【００２４】
そして、この空白部１３に今年行われる甲子園における高校野球の試合の予定が記載されている。すなわち、甲子園における高校野球の第１日目が８月６日であるとすると、８月６日の日付に該当する空白部１３ａに「甲子園第１日」という予定１５が記載されている。以後、順次第２日目から第１５日目（最終日）までの「第２日」・・・「第１５日」という予定１５が、該当する日付の空白部１３に記載されている。
【００２５】
また、空白部１３には、甲子園出場を果たした特定の高等学校の地方予選における結果が記載されている。すなわち、７月１０日の空白部１３ｂに「１回戦
○３−２  △△高校」と結果１６が記載されている。以後、順次決勝戦までの結果が同様に記載されている。
【００２６】
前記欄外部２０には、高校野球の部長、監督、コーチ、選手、マネージャーの写真２１が印刷されており、各写真の下部には、氏名、学年等の個人情報２２が記載されるとともに、選手の場合は過去の成績（打率、本塁打、打点、防御率等）２３が記載されている。
【００２７】
本発明のスケジュールカレンダーの第２実施形態を図２を参照して説明する。図２は、阪神タイガースの過去の結果を記載したスケジュールカレンダーの下部を所略した正面図である。
【００２８】
図２において、３０はカレンダーが記載されたカレンダー本体部、４０は欄外部である。カレンダー本体部３０は、横方向に１２に区分され、その上端部に１月から１２月までを表示する月３１が記載されており、また、縦方向に３１に区分され、その左端部に１日から３１日までを表示する日３２が記載されている。したがって、カレンダー本体部３０には、３７２（１２×３１）に区画された空白部３３が存在し、この空白部３３は月３１と日３２により日付が特定されており、また、その空白部３３には該当する日曜日から土曜日までを表示する曜日３４が記載されている。
【００２９】
そして、この空白部３３に、阪神タイガースの今年の試合の予定が記載されている。すなわち、該当する日付の空白部３３の上部において、例えば、９月３日に神宮球場でヤクルトスワローズと試合があるとすると、空白部３３ａに「ヤク（神宮）」という予定３５が記載されている。その他の試合の予定も同様に該当する日付の空白部３３に記載されている。
【００３０】
また、空白部３３の予定３５の下方には、去年の試合結果が記載されている。すなわち、去年の８月６日に巨人と試合があり、５対３で勝ち、その時点で勝敗
６０勝４０敗であったとすると、空白部３３ｂに「５○３巨人  ６０勝４０敗」という結果３６が記載されている。また、勝敗の代わりにマジックナンバーが記載されている。
【００３１】
前記欄外部４０には、阪神タイガースの監督、コーチ、選手の名前４１が記載されるとともに、監督及びコーチにあっては、背番号及び出身校の個人情報４２が記載され、選手にあっては、背番号の個人情報４２が記載されるとともに、勝敗、防御率、打率、本塁打、打点の成績４３が記載されている。
【００３２】
本発明のスケジュールカレンダーの第３実施形態を図３を参照して説明する。図３は、大相撲における特定の力士の結果を記載したスケジュールカレンダーの下部を省略した正面図である。
【００３３】
図３において、５０はカレンダーが記載されたカレンダー本体部、６０は欄外部である。カレンダー本体部５０は、横方向に１２に区分され、その上端部に１月から１２月までを表示する月５１が記載されており、また、縦方向に３１に区分されている。したがって、カレンダー本体部５０には、３７２（１２×３１）に区画された空白部５２が存在し、この空白部５２には、月５１に対応した各列において1日から３１日までを表示する日５３が記載されており、また、日曜日から土曜日までを表示する曜日５４が記載されている。したがって、空白部５２は、月５１と日５３により日付が特定されている。
【００３４】
そして、この空白部５２に特定に力士の過去の結果が記載されている。すなわち、特定の力士が、初場所初日において、時天空に押し出しで勝ったとすると、１月８日の空白部５２ａにおいて、「初場所  初日  ○押し出し  時天空」と、勝ち負け（「○」「●」で表示）、決まり手及び対戦力士からなる結果５５が記載されている。以後、同様に千秋楽まで記載され、さらに、春場所、五月場所、夏場所、秋場所及び九州場所の同様に結５５が記載されている。また、前記欄外部６０には、初場所、春場所、五月場所、夏場所、秋場所及び九州場所の優勝者の力士名６１、写真６２及び勝敗６３が記載されている。
【００３５】
本発明のスケジュールカレンダーの第４実施形態を図４を参照して説明する。図４は、大相撲における特定の力士の結果を記載したスケジュールカレンダーの正面図である。
【００３６】
図４において、７０はカレンダーが記載されたカレンダー本体部、８０は欄外部である。カレンダー本体部７０は、横方向に７に区分され、その上端部に日曜日から土曜日までを表示する曜日７１が記載されており、また、縦方向には５に区分されている。したがって、カレンダー本体部７０には、３５（７×５）に区画された空白部７２が存在し、この空白部７２には、1日から３１日までを表示する日７３が記載されている。また、欄外部８０には、何月かを表示する月８１が記載されている。したがって、空白部７２は月８１と日７３により日付が特定されている。
【００３７】
そして、空白部７２には、特定に力士の過去の結果が記載されている。すなわち、特定の力士が、初場所初日において、時天空に押し出しで勝ったとすると、１月８日の空白部７２ａにおいて、「初日  ○時天空  押し出し」と対戦力士、勝ち負け（「○」「●」で表示）及び決まり手からなる結果７４が記載される。以後、同様に千秋楽まで記載されている。また、前記欄外部８０には、初日から千秋楽までの対戦力士の写真８２が表示されている。
【００３８】
本発明のスケジュールカレンダーの第５実施形態を図５を参照して説明する。図５は、中央競馬の結果を記載したスケジュールカレンダーの下部を省略した正面図である。
【００３９】
図５において、９０はカレンダーが記載されたカレンダー本体部、１００は欄外部である。カレンダー本体部９０は、横方向に１２に区分され、その上端部に１月から１２月までを表示する月９１が記載されており、また、縦方向に３１に区分されている。したがって、カレンダー本体部９０には、３７２（１２×３１）に区画された空白部９２が存在し、この空白部９２には、月９１に対応した各列において1日から３１日までを表示する日９３が記載されており、また、日曜日から土曜日までを表示する曜日９４が記載されている。したがって、空白部９２は月９１と日９３により日付が特定されている。
【００４０】
そして、空白部９２には、去年の中央競馬の主な重賞レースの結果が記載されている。例えば、５月２日に天皇賞があり、スズカマンボが勝ったとすると、５月２日の日付の空白部９２ａには、「天皇賞  スズカマンボ」とレース名と勝馬の結果９４が記載されている。また、同様にして、その他の重賞レースも、該当する日付の空白部９２に、レース名と勝馬の結果９４が記載されている。
【００４１】
前記欄外部１００には、主なＧ１レースの結果が記載されている。すなわち、レース名１０１が記載されるとともに、当該レースに勝った競走馬の写真１０２と、その名前１０３が記載されている。
【図面の簡単な説明】
【００４２】
【図１】本発明の第１実施形態で、夏の甲子園大会の予定と、地方大会の結果とを記載したスケジュールカレンダーの一部省略した正面図。
【図２】本発明の第２実施形態で、阪神タイガースの過去の結果を記載したスケジュールカレンダーの下部を省略した正面図。
【図３】本発明の第３実施形態で、大相撲における特定の力士の結果を記載したスケジュールカレンダーの下部を省略した正面図。
【図４】本発明の第４実施形態で、大相撲における特定の力士の結果を記載したスケジュールカレンダーの一部省略した正面図。
【図５】本発明の第５実施形態で、中央競馬の結果を記載したスケジュールカレンダーの下部を省略した正面図。
【符号の説明】
【００４３】
１０．カレンダー本体部、１３．空白部、１５．予定、１６．結果、２０．欄外部、２１．写真、２２．個人情報、２３．成績、３０．カレンダー本体部、３３．空白部、３５．予定、３６．結果、４０．欄外部、４１．名前、４２．個人情報、４３．成績、５０．カレンダー本体部、５２．空白部、５５．結果、６０．欄外部、６１．力士名、６２．写真、６３．勝敗、７０．カレンダー本体部、７２．空白部、７４．結果、８０．欄外部、８２．写真、９０．カレンダー本体部、９２．空白部、９４．結果、１００．欄外部、１０１．レース名、１０２．写真、１０３．名前
【図１】
2008105269.tif 000003
【図２】
2008105269.tif 000004
【図３】
2008105269.tif 000005
【図４】
2008105269.tif 000006
【図５】
2008105269.tif 000007